(57)【要約】【課題】コンクリート型枠連結具とセパレーターとの結合作業などに活用できる打撃操作用補助具を提供する。【解決手段】コンクリート型枠連結具４にねじ結合されたセパレーター６などに横側方から嵌合させて当該セパレーター６の長さ方向にスライド可能なコ形嵌合部１５と、当該コ形嵌合部１５の底部１５ａのスライド方向一端に連設された打撃部１６と、前記コ形嵌合部１５の底部１５ａのスライド方向他端から前記セパレーター６に沿った方向に突設された打撃杆１８とを備え、当該打撃杆１８にその長さ方向に与えた打撃力を前記打撃部１６を介して前記コンクリート型枠連結具４のセパレーター係止用操作片１２などに伝達できる構成。【選択図】    図３
2004339790.tif 000002
【特許請求の範囲】
【請求項１】
コンクリート型枠連結具にねじ結合されたセパレーターなどに横側方から嵌合させて当該セパレーターの長さ方向にスライド可能なコ形嵌合部と、当該コ形嵌合部の底部のスライド方向一端に連設された打撃部と、前記コ形嵌合部の底部のスライド方向他端から前記セパレーターに沿った方向に突設された打撃杆とを備え、当該打撃杆にその長さ方向に与えた打撃力を前記打撃部を介して前記コンクリート型枠連結具のセパレーター係止用操作片などに伝達できるように構成された、打撃操作用補助具。
【請求項２】
前記打撃杆は、前記コ形嵌合部の底部のスライド方向端部に設けられたねじ孔に着脱自在にねじ結合されている、請求項１に記載の打撃操作用補助具。
【請求項３】
前記コ形嵌合部の底部のスライド方向両端から外側へ折曲片がそれぞれ折曲連設され、一方の折曲片と当該折曲片の両側辺から前記コ形嵌合部の底部側に折曲連設された平行両側板部とで前記打撃部が構成され、他方の折曲片には打撃杆接続用ねじ孔が設けられている、請求項２に記載の打撃操作用補助具。
【発明の詳細な説明】
【０００１】
【発明の属する技術分野】
本発明は、コンクリート型枠連結具とセパレーターとの結合作業などに補助的に使用される打撃操作用補助具に関するものである。
【０００２】
【従来の技術】
コンクリート型枠連結具にねじ結合されるセパレーターの結合強度を高めるため、例えば特許文献１に記載されるように、コンクリート型枠連結具側に、当該コンクリート型枠連結具に螺嵌されたセパレーターの周面に隣接するセパレーター係止用操作片を連設し、前記コンクリート型枠連結具を介してセパレーターをコンクリート打設空間の一方を構成する土留め壁などに接続した状態で前記セパレーター係止用操作片をハンマーで打撃操作することにより、当該セパレーター係止用操作片から突出する舌片の先端をセパレーターのねじ溝に食い込ませるように変形させるように構成したものが知られている。
【０００３】
【特許文献１】
特開平８−３０３００５号公報
【０００４】
【発明が解決しようとする課題】
上記のような従来のコンクリート型枠連結具においては、当該コンクリート型枠連結具の先端からセパレーターに隣接するように突出する比較的小さなセパレーター係止用操作片を所定の方向に的確にハンマーで打撃することは、非常に困難な作業であった。
【０００５】
【課題を解決するための手段】
本発明は上記のような従来の問題点を解消するのに効果的に活用できる打撃操作用補助具を提供することを目的とするものであって、その手段を後述する実施形態の参照符号を付して示すと、コンクリート型枠連結具４にねじ結合されたセパレーター６などに横側方から嵌合させて当該セパレーター６の長さ方向にスライド可能なコ形嵌合部１５と、当該コ形嵌合部１５の底部１５ａのスライド方向一端に連設された打撃部１６と、前記コ形嵌合部１５の底部１５ａのスライド方向他端から前記セパレーター６に沿った方向に突設された打撃杆１８とを備え、当該打撃杆１８にその長さ方向に与えた打撃力を前記打撃部１６を介して前記コンクリート型枠連結具４のセパレーター係止用操作片１２などに伝達できる構成となっている。
【０００６】
上記構成の本発明を実施する場合、前記打撃杆１８は、前記コ形嵌合部１５の底部１５ａのスライド方向端部に設けられたねじ孔１７ｂに着脱自在にねじ結合することができる。
【０００７】
又、前記コ形嵌合部１５の底部１５ａのスライド方向両端から外側へ折曲片１６ａ，１７ａをそれぞれ折曲連設し、一方の折曲片１６ａと当該折曲片１６ａの両側辺から前記コ形嵌合部１５の底部１５ａ側に折曲連設された平行両側板部１６ｂ，１６ｃとで前記打撃部１６を構成し、他方の折曲片１７ａには打撃杆接続用ねじ孔１７ｂを設けることができる。
【０００８】
【発明の実施の形態】
先ず最初に、本発明の打撃操作用補助具を使用できる土留め壁用コンクリート型枠連結具とその使用状態とを図１に基づいて説明すると、１は水平方向適当間隔置きに垂直に打設された杭用Ｈ形鋼、２は隣り合う杭用Ｈ形鋼１間に嵌合されて土留め壁３を構成する矢板、４はコンクリート型枠連結具であって、土留め壁３の適当箇所、図示例では杭用Ｈ形鋼１の外側面に溶接された係止金具５に内端部がねじ結合される。６はコンクリート型枠連結具４の外端部にねじ結合されたセパレーター、７はセパレーター６の外端部にコンクリート型枠締結具８を併用して結合されたコンクリート型枠である。
【０００９】
上記のようにして土留め壁３とコンクリート型枠７との間に所定巾のコンクリート打設空間を形成し、この空間内にコンクリートを打設して、土留め壁３と一体のコンクリート壁が構築される。尚、土留め壁３に対するコンクリート型枠連結具４の取付箇所は、例えばコンクリート型枠連結具４の内端の結合部が釘止め用として構成されているときは木製の矢板２に釘止めするなど、このコンクリート型枠連結具４の内端の結合部の構造に合わせて選定される。
【００１０】
上記のように使用されるコンクリート型枠連結具には、図２Ａに示すように、外端にセパレーター結合用ねじ孔９が、例えば連結具本体１０の内側に固定されたナット１１などにより構成されると共に、連結具本体１０からは、セパレーター係止用操作片１２が突設されている。このセパレーター係止用操作片１２は、セパレーター６の長さ方向と平行な長さ方向の中間部がセパレーター６の螺軸部６ａに接近するようにくの字形に折曲され、その遊端が打撃操作部１２ａとなっている。そして、くの字形の折曲部頂点よりねじ孔９に近い側で、先端１３ａがセパレーター６の螺軸部６ａに隣接するように舌片１３がセパレーター係止用操作片１２に形成されている。而して、図２Ｂに示すように、セパレーター６の先端螺軸部６ａを所定長さ分だけコンクリート型枠連結具４のねじ孔９に螺合連結した状態で、セパレーター係止用操作片１２の先端打撃操作部１２ａをハンマーなどで、セパレーター６の長さ方向と平行でコンクリート型枠連結具４のある方向に打ち叩くことにより、セパレーター係止用操作片１２がそのくの字形の折曲部頂点の位置で屈折し、一体に変形する舌片１３の先端１３ａがセパレーター６の螺軸部６ａのねじ溝に食い込むように構成されている。
【００１１】
本発明の打撃操作用補助具は、上記のようなコンクリート型枠連結具４のセパレーター係止用操作片１２の先端打撃操作部１２ａを打撃操作する場合などに、図３に示すように使用することができるものであって、以下、その構造を図４〜図６に基づいて説明する。
【００１２】
本発明の打撃操作用補助具１４は、底部１５ａが円弧形のコ形嵌合部１５と、このコ形嵌合部１５の底部１５ａの一端から連設された打撃部１６と、コ形嵌合部１５の底部１５ａの他端から連設された打撃杆接続部１７、及び図３に示す打撃杆１８から構成されている。具体的には、打撃杆１８を除く打撃操作用補助具１４そのものは、１枚の鉄板の折り曲げ加工から構成されるもので、前記打撃部１６は、コ形嵌合部１５の底部１５ａの一端からほぼ直角に折曲された折曲片１６ａと、この折曲片１６ａの左右両側辺から連設されたコ形嵌合部１５の底部１５ａの下側へ折曲された平行両側板部１６ｂ，１６ｃとから成り、平行両側板部１６ｂ，１６ｃの上辺はコ形嵌合部１５の底部１５ａに隣り合っている。又、打撃杆接続部１７は、コ形嵌合部１５の底部１５ａの他端からほぼ直角に折曲された折曲片１７ａの中央にコ形嵌合部１５の底部１５ａとほぼ平行に貫通するねじ孔１７ｂを設けたものである。
【００１３】
打撃杆１８は、鋼製の丸棒材の一端に前記打撃杆接続部１７のねじ孔１７ｂに螺合できる螺軸部１８ａを設けたものであって、両端に螺軸部を備えた既製のセパレーターを中間位置で切断したものを転用できる。この打撃杆１８は、使用に先立って図３に示すように、螺軸部１８ａとねじ孔１７ｂとを利用して打撃杆接続部１７に接続される。
【００１４】
上記構成の打撃操作用補助具１４は、図１に示すように配設されたセパレーター６のコンクリート型枠連結具４に隣接する位置にコ形嵌合部１５を横から嵌合させるように、打撃杆１８を片手で把持した状態で操作する。そして打撃部１６（折曲片１６ａの外側面）をコンクリート型枠連結具４側のセパレーター係止用操作片１２（先端打撃操作部１２ａ）に当接させた状態で、他方の手でハンマーを操作して打撃杆１８の遊端を打撃する。この打撃力は、打撃杆１８から打撃杆接続部１７、コ字形嵌合部１５、及び打撃部１６を経由してコンクリート型枠連結具４側のセパレーター係止用操作片１２に伝達され、先に説明してように舌片１３が変形してコンクリート型枠連結具４に対するセパレーター６の固定効果（回り止め効果）が得られる。このとき打撃操作用補助具１４のコ形嵌合部１５は、セパレーター６の回りに自由に回転できると共に、当該セパレーター６の長さ方向に自由にスライドできるものであるから、打撃杆１８の位置はセパレーター６の周方向に関して最も打撃操作し易い位置にもってくることができると共に、打撃力をセパレーター６に殆ど与えることなく、効果的にコンクリート型枠連結具４側のセパレーター係止用操作片１２に伝達させることができる。
【００１５】
尚、打撃杆１８は、コ形嵌合部１５の端部に溶接するなどの方法で一体化しても良い。又、打撃部１６は、別の金属製ブロックをコ形嵌合部１５の端部に溶接などで取り付けて構成することもできる。
【００１６】
【発明の効果】
以上のように実施し且つ使用することが出来る本発明の打撃操作用補助具によれば、例えばコンクリート型枠連結具にねじ結合されたセパレーターを固定するために、当該コンクリート型枠連結具のセパレーター係止用操作片を打撃操作しなければならないようなときに、当該コンクリート型枠連結具の端部に突設されていてセパレーターに近接している小さなセパレーター係止用操作片を直接ハンマーで打撃する必要がなくなり、簡単な操作で打撃操作箇所をコンクリート型枠連結具やセパレーターから離すことができ、打撃操作を容易且つ安全に行うことができると共に、セパレーター係止用操作片を所定の方向に的確に打撃することができる。
【００１７】
尚、請求項２に記載の構成によれば、使用しないときに長い打撃杆を取り外しておけるので、保管などに便利になる。しかも、セパレーターなどを切断するだけで打撃杆として活用することができ、コストダウンを図ることができる。
【００１８】
又、請求項３に記載の構成によれば、打撃杆を除く部分を１枚の鉄板の曲げ加工だけで構成することができ、安価に実施することができる。しかも、打撃時の反力で打撃部が後方に曲がるのを、平行両側板部をコ形嵌合部の底部外側面で受け止めさせることにより防止することもでき、強力な打撃操作も確実に行える補助具として活用できる。
【図面の簡単な説明】
【図１】本発明の補助具が利用できるコンクリート型枠連結具とセパレーターの使用状態を説明する一部縦断側面図である。
【図２】Ａ図はコンクリート型枠連結具のセパレーター係止用操作片の打撃前の状態を示す要部の拡大縦断側面図であり、Ｂ図は打撃操作後の状態を示す要部の拡大縦断側面図である。
【図３】本発明の補助具の使用状態を示す側面図である。
【図４】Ａ図は本発明補助具の打撃杆を除く部分の側面図であり、Ｂ図は同Ａ図のＸ−Ｘ線断面図である。
【図５】Ａ図は本発明補助具の打撃杆を除く部分の平面図であり、Ｂ図は同底面図である。
【図６】図５ＡのＹ−Ｙ線拡大断面図である。
４    コンクリート型枠連結具
６    セパレーター
６ａ    セパレーター螺軸部
１２    セパレーター係止用操作片
１２ａ    先端打撃操作部
１３    舌片
１４    本発明の打撃操作用補助具
１５    コ形嵌合部
１５ａ    コ形嵌合部の底部
１６    打撃部
１６ａ，１７ａ    折曲片
１６ｂ，１６ｃ    平行両側板部
１７ｂ    ねじ孔
１８    打撃杆
１８ａ    打撃杆の螺軸部
【図１】
2004339790.tif 000003
【図２】
2004339790.tif 000004
【図３】
2004339790.tif 000005
【図４】
2004339790.tif 000006
【図５】
2004339790.tif 000007
【図６】
2004339790.tif 000008